(57)【要約】【課題】インターネット上に散在しているため把握が困難な企業・機関・団体・各種法人等の求人情報を能動的かつ自動的にデータベース上に蓄積・整理し、それらの情報の一元的な検索・閲覧を可能にするシステムを得る。【解決手段】求人内容及び組織概要に関連するキーワード、もしくは求人情報が掲載されるインターネット上の場所情報等を登録し、それを手がかりとする自動巡回システムによって、インターネット上に公開されている企業・機関・団体・各種法人等の求人・組織概要に関する情報を定期的に自動収集する。得られた様々な形式の求人情報を記憶媒体に格納し、システムにより情報形式の判別を行い、自動的に整理し、一定の統一的な求人フォーマットに再生成し、効果的な求人データベースを構築する。【選択図】図１
2004326712.tif 000002
【特許請求の範囲】
【請求項１】
ネットワークを介して他のＷｅｂサーバからウェブコンテンツを受信する通信手段と、受信したＷｅｂコンテンツ中の求人情報を選択する選択手段と、選択された求人情報をデータベースとして記憶する記憶手段とを備える求人情報収集システムであり、当該記憶手段には求人情報に使用される文字列が予め記憶されており、当該選択手段は、当該文字列に基づいてＷｅｂコンテンツ中の求人情報を選択する求人情報収集システム。
【請求項２】
前記選択手段は、Ｗｅｂコンテンツ中の求人情報をその分類ごとに選択する請求項１に記載の求人情報収集システム。
【請求項３】
前記求人情報の分類は、少なくとも「職種名」「職務内容」「必要要件」「勤務地」「年齢」「待遇」のいずれかを含む請求項１又は２に記載の求人情報収集システム。
【請求項４】
前記通信手段は、データベースとして記憶された求人情報をネットワークを介して他のクライアント端末に送信する請求項１〜３のいずれかに記載の求人情報収集システム。
【発明の詳細な説明】
【０００１】
【発明の属する利用分野】
この発明は、企業・機関・団体・各種法人等が運営するＷｅｂサイト上に掲載されている様々な形式の求人情報を、データとして能動的かつ自動的に収集し、かつ内容を解析し、ユーザが一元的に検索・閲覧できるように一定のフォーマットに変換した上でデータベースとして記憶する方法、およびその情報を求職者に対して供給する方法に関する。
【０００２】
【従来の技術】
近年、求人・求職マーケットでは、インターネット技術の発達とユーザ層の拡大により、企業や組織から発信する求人情報を各々が運営する自社のＷｅｂサイト上に公開することが広く行われている。
【０００３】
しかしながら単に自社のＷｅｂサイト上に求人情報を掲載するだけでは、多数の情報の中に埋もれてしまって求職者側がその情報まで到達できないことも多いため、求人情報に関する情報を広く世の中に告知するという目的を達成できない。
【０００４】
一部の採用意欲が高く、かつ資金力のある企業は、自社の求人内容を世の中に幅広く告知するために、その情報を求人広告として専門の求人情報Ｗｅｂサイトもしくは求人雑誌等に広告を掲載するのが一般的である。また、求職者はそのような求人情報Ｗｅｂサイトもしくは求人雑誌等の媒体の情報を有力な情報源として転職活動を行うのが一般的である。
【０００５】
【発明が解決しようとする課題】
しかしながら、情報を探索する側である求職者にとって、専門の求人情報Ｗｅｂサイトや求人情報誌等の媒体を閲覧するだけでは、その求人情報Ｗｅｂサイトや求人媒体に広告や記事を掲載している一部の求人企業以外の求人情報を知ることはできない。
【０００６】
また、専門の求人情報Ｗｅｂサイトや求人情報誌等の媒体以外の求人情報を得るために、例えば一般的な検索エンジン等を用いて、求人情報を公開している個々の企業のＷｅｂサイトにひとつひとつアクセスし、求人情報の有無とその内容を個別に閲覧するという方法も、甚だ時間がかかり非常に非効率である。
【０００７】
加えて、企業や組織が公開する自らのＷｅｂサイト上の求人情報には統一的なフォーマットというものがなく、各社・各組織が独自の書式や表現を使用して記述しているため、一般的な検索エンジン等では、専門の求人情報Ｗｅｂサイトに比べると求人を探すという行為においては検索性等に劣るため、効率が悪く労力がかかるという問題がある。
【０００８】
さらに、これらＷｅｂサイト上の求人情報がいつ更新されるかということは求職者には知り得ないし、最新の求人情報を把握しておくためには常に各サイトを巡回し、その都度確認しなければならないという問題もあるため、求人情報を公開している個々の企業や組織の自らのＷｅｂサイトを有力な情報源として実際に転職活動を行うのは甚だ困難である。
【０００９】
そのため、求人企業にとっては、自らが運営するＷｅｂサイト上での求人告知を求職者に対して効果的に知らしめることはできていないという問題が発生している。また一方で、求人企業が求人情報Ｗｅｂサイトや求人情報誌等の媒体に広告を掲載する際には、その媒体のフォーマットに合わせて自社の求人情報を加工して入稿しなければならず、手間がかかり、また掲載時期に関してはその媒体の更新・発行スケジュールに依存するため、入稿依頼から掲載まで、タイムラグが生じてしまうという問題がある。
【００１０】
本発明は、以上のような問題点を解決するために、インターネット上に公開される企業や組織自らのＷｅｂサイト上で公開されている求人情報を、能動的に、迅速かつ定期的に収集し、解析し、検索可能な形にした上でデータベース化し、即時にＷｅｂサイトを通じて求職者に検索・閲覧可能な情報として供給するシステムを提供することを目的とする。
【００１１】
【課題を解決するための手段】
上記目的を達成するために、本発明は、（１）求人企業の運営するＷｅｂサイト上において公開されている、求人関連情報ページの場所情報（ＵＲＬ）を検知するためのエンジンと、（２）前記エンジンで得られた場所情報（ＵＲＬ）を格納するための場所情報データベースと、（３）前記場所情報データベースの情報に基づき、一定期間毎（例えば、２４時間毎）に前記求人関連情報ページの場所を自動的に巡回し、主にＨＴＭＬなどのマークアップ言語で記述された、前記求人関連情報ページの記述情報を受信する機能と、（４）取得した前記求人関連情報の記述情報に対して、自動的に形態素解析を行い、本システムで定義する求人案件構成項目毎に整理された求人案件情報を抽出する機能と、（５）前記求人案件構成項目毎に整理された求人案件情報を記憶するための求人情報データベースと、（６）前記求人情報データベースに格納された、前記整理された求人案件情報を、求職者がＷｅｂページ上で検索・閲覧できるインターフェースを提供する機能を備える。
【００１２】
前記（１）の求人関連情報ページの場所情報（ＵＲＬ）を検知するための検索エンジンについては、求人案件に特徴的に使用される文章および単語を独自にデータベース化した辞書と、企業Ｗｅｂサイトの情報内で、求人関連情報が掲載されるページが一般的にどのような方法で、どのような配置をされるかという各種パターンを記録したデータベースを参照した上で、それを手かがりとして自動検索を行うことを特徴とする。
【００１３】
前記（２）の場所情報（ＵＲＬ）データベースについては、新規に場所情報データが追加された際のアップデートはもちろんのこと、場所情報（ＵＲＬ）の変更、削除があった際には一定期間毎に最新の情報に更新する機能を有する。
【００１４】
但し、前記（２）の場所情報（ＵＲＬ）データベースを構築する際には、前記（１）の求人関連情報ページの場所情報（ＵＲＬ）を検知するための検索エンジンを使用する以外にも、システム運営者が自らの判断に基づいて情報の更新を行う、あるいは求人企業からの依頼に基づいて情報の更新を行う、あるいは求職者からの依頼に基づいて情報の更新を行うという手段を併用しても構わない。
【００１５】
前記（３）の求人関連情報ページの記述情報を取得する機能については、企業毎、情報毎に巡回する回数や頻度の設定を変えることが可能で、個別の状況や事情に応じて対応できることを特徴とする。また、当該求人関連情報ページ内からのリンク先に対してもアクセスを行い、アクセスしたページが求人関連情報ページであり、かつ場所情報が（ＵＲＬ）が（２）の場所情報データベースに格納されていなければ、場所情報をさらに場所情報データベースに登録する処理を行う。
【００１６】
また、前記（４）の求人関連情報の記述情報に対して形態素解析を行うにあたっては、主な記述言語であるＨＴＭＬなどのマークアップ言語の仕様、および求人の表現に使用される各種のフォーマットや表現形式に基づいて日本語文章を抽出した上で、例えば募集部門、募集背景、募集職種、募集人数、職務概要、必要要件、必要資格、待遇、休日休暇条件、給与、福利厚生、勤務地、対象年齢、その他備考などの求人案件構成要素に相当する文章および単語を、各求人案件構成要素毎に、自動的に抽出することを特徴とする。
【００１７】
また、前記（４）の求人関連情報の記述情報に対して形態素解析を行うにあたっては、求人関連用語およびそれらが実際に利用される場面情報が格納された、求人関連用語辞書データベースを備える。
【００１８】
また、前記（５）の求人案件構成項目毎に整理された求人案件情報を格納するための求人情報データベースについては、各企業が個別に表現している職種名称や業務内容に関する様々な記述が統一的な表現に整理された上でデータとして格納され、例として内容更新日時、募集部門、募集背景、募集職種、募集人数、職務概要、必要要件、必要資格、待遇、休日休暇条件、給与、福利厚生、勤務地、対象年齢、その他備考といった各項目が、同一のフォーマット上にデータとして保存されていることを特徴とする。
【００１９】
また、前記（６）の求職者がＷｅｂページ上で検索・閲覧できるインターフェースを提供する機能については、数多くの求人案件を保有するという特徴を生かしたテキスト全文検索機能や、前記（５）により統一的な表現に整理された職種名称での求人情報検索機能、また、自動で企業Ｗｅｂサイト上の情報を収集するデータベースであるという特徴を生かした、求人案件更新日時順の検索、求人内容情報更新時の電子メールなどによるお知らせ機能等を備える。
【００２０】
【発明の実施の形態】１−１：概略構成説明  図１の説明
以下、本発明における実施の形態について、図面を参照して説明する。図１は、本発明の実施形態の全体概略図である。符号１は本発明に関るシステムを含むサーバであり、制御装置、電話回線等を通じてインターネット９９に接続されている。符号１０１、１０２．．は各求人企業が運営するホームページ１０１１、１０２１およびそのコンテンツとして求人関連情報ページ１０１１１、１０２１１を含むサーバであり、サーバ１と同様にインターネット９９に接続されている。符号２０１、２０２．．は求職者が利用する各種の利用者端末であり、サーバ１と同様にインターネット９９に接続されている。
【００２１】１−２：システム構成説明  図２の説明
図２は、サーバ１の構成図である。収集手段１１は、求人関連情報ページ１０１１１、１０２１１の収集を行うための手段であり、プログラム等から構成される。この動作については後述する。解析手段１２は、収集手段１１により取得されたデータを解析するための手段であり、プログラム等から構成される。この動作については後述する。場所情報データベース２１は、収集手段１１が実行される際に参照される、場所情報が記憶されたデータベースである。企業毎に、企業名、企業ホームページ１０１１、１０２１の場所（ＵＲＬ）、求人関連情報ページ１０１１１、１０２１１の場所（ＵＲＬ）等が記憶されている。求人用語情報データベース２２は、解析手段１２が実行される際に参照される、求人関連求人用語情報が記憶されたデータベースである。用語名、品詞名、解析手段１２に対する指示情報等が記憶されている。求人情報データベース２３は、解析手段１２により解析された情報を記憶する求人情報データベースである。求人案件毎に、内容更新日時、募集部門、募集背景、募集職種、募集人数、職務概要、必要要件、必要資格、待遇、休日休暇条件、給与、福利厚生、勤務地、対象年齢、その他備考の情報から構成される。検索インターフェース３１は、求職者端末２０１、２０２によりアクセス、操作が行われるＷｅｂサイトである。求人情報データベース２３の情報を、端末操作者が検索可能なインターフェースを持つ。この動作については後述する。
【００２２】２−１：動作説明導入部
次に、本システムの動作形態について説明する。まず、企業Ｗｅｂサイト１０１１、１０２１の情報を取得・解析する場合を説明する。
【００２３】２−１−１：収集部
まず、場所情報（ＵＲＬ）データベース２１は、システム運営者が自らの判断に基づいて場所情報の更新を行う、あるいは後述する収集手段１１の動作過程で本システム自らが情報の場所更新を行う、あるいは求人企業からの依頼に基づいて場所情報の更新を行う、あるいは求職者からの依頼に基づいて場所情報の更新を行う事ができるものとする。
【００２４】
収集手段１１は、あらかじめ設定された一定期間毎（例えば、２４時間毎）に、場所情報（ＵＲＬ）データベース２１を参照し、そこに記憶されている場所情報（ＵＲＬ）に対して順次アクセスを行い、ページ内情報の受信を行う。例えば、企業ホームページ１０１１、１０２１内の求人関連情報ページ１０１１１、１０２１１にアクセスを行い、正常にアクセスできれば、主にＨＴＭＬなどのマークアップ言語で記述された、ページの記述情報を受信し、一旦サーバ１上のメモリに記憶する。
【００２５】
なお、収集手段１１は、求人関連情報ページ１０１１１、１０２１１内からのリンク先に対してもアクセスを行い、アクセスしたページが求人関連情報ページであり、かつ場所情報が（ＵＲＬ）が場所情報データベース２１に記憶されていなければ、ページの記述情報を受信し、一旦サーバ１上のメモリに記憶するとともに、場所情報を場所情報データベース２１に登録する処理を行う。
【００２６】２−１−２：解析部
次に、解析手段１２は、収集手段１１により取得したページの記述情報に対して、ＨＴＭＬなどのマークアップ言語の仕様に基づいた解析を行う。この解析は、通常一般的なＷＷＷブラウザが行うものと同様のものであり、これによりマークアップ言語と文章が入り混じったページの記述情報から、文章およびそのレイアウト情報を抽出する。
さらに、解析手段１２は、抽出した文章を求人用語情報データベース２２を参照しながら、意味のあるまとまり単位に切り分け、さらに文章のまとまり毎に、意味情報を付け加える。例えば、「募集職種名：システムエンジニア」という文章のまとまりは、「募集職種名」「：」「システムエンジニア」に分解され、意味情報としてそれぞれ「募集職種名を表す項目名」「記号」「職種名」といったように解される。そうして得られた文章のまとまり毎の意味情報およびそれらのレイアウト情報から、求人案件の表記パターンを検出する。
このようにして得られた表記パターンに従って募集職種名、職務内容、必要要件、勤務地、対象年齢などの、求人案件構成要素毎の情報を抽出する。求人案件が取得したページ上に複数存在する場合は、全ての求人情報を抽出するまで、繰り返しこの処理が行われる。こうして得られた求人案件構成要素毎に切り分けられた個々の求人情報は、求人企業名を付加した上で求人情報データベース２３へ記憶される。
【００２７】
このように収集手段と解析手段をあらかじめ設定された一定期間毎（例えば、２４時間毎）に、場所情報データベース２１に記憶されている全ての企業ホームページに対して行う結果、求人情報データベース２３には、常に各企業がホームページ上で公開している最新の求人情報が、求人案件構成要素毎に整理されて記憶されていることになる。
【００２８】
求職者は、求人情報データベース２３に記憶されている情報に、インターネットを通じてアクセスし、ＷＷＷブラウザや専用のアプリケーションを通じて検索・閲覧を行うものとする。
【００２９】
【発明の効果】
本各発明に係る求人情報自動収集データベースシステムによれば、インターネット上に散在している企業・機関・団体・各種法人等の求人情報を能動的かつ自動的にデータベース上に蓄積・整理し、それらの情報の一元的な検索・閲覧を可能にするシステムを得ることができる。
【００３０】
求人側から見れば、このシステムによりコストや時間をかけることなく自社の求人情報を世の中に流通されることが可能となり、求職者側から見れば、今まではインターネット上に散在していたために把握が困難であった求人情報を、このシステムを利用することによって一元的に把握・管理できるようになるため、求職活動のための情報収集に格段の利便性をもたらすものとなる。
【図面の簡単な説明】
【図１】実施形態の全体概略図である。
【図２】図１のサーバ１の構成図である。
【図１】
2004326712.tif 000003
【図２】
2004326712.tif 000004